(57)【要約】【課題】  トレイのオープン・クローズの状態を一つのスイッチで検出することができて、材料費を削減してコストダウンを図れ、不具合発生要因も減らすことができる。【解決手段】  装置本体に装着したスイッチ１に近接してＯＮ・ＯＦＦ用レバー２を枢着状態で回動可能に配設し、トレイ３のオープン・クローズ動作で上下移動と左右移動をするトラバース４の先端にＬ字片４ａを設け、トレイの内向きにスイッチを押す突起部３ａを設け、トレイがクローズ時にトラバースがスイッチ側に移動しＬ字片の先端がＯＮ・ＯＦＦ用レバーの下側を押しレバーを枢着部分を中心に上側がスイッチ側に向けて回動し、レバーの上端部がスイッチを押してＯＮ状態とし、トレイが不定状態のときはレバーの上端部はスイッチを押さずにＯＦＦ状態とされトレイがオープンした時に突起部がレバーの上端部を介してスイッチを押しＯＮ状態とする。【選択図】  図１
2006018959.tif 000002
【特許請求の範囲】
【請求項１】
ディスクがセットされるトレイのオープン・クローズ状態をスイッチで検出するようにしたディスク装置において、装置本体に装着されたスイッチに近接してＯＮ・ＯＦＦ用レバーが枢着状態で回動可能に配設され、トレイのオープン・クローズ動作に伴って上下移動と左右移動をするトラバースの先端の下側にＬ字片が設けられ、前記トレイには、その側方の内向きに前記スイッチを押すための突起部が設けられており、前記トレイがクローズしている時には、前記トラバースが前記スイッチ側に移動されて前記Ｌ字片の先端が前記ＯＮ・ＯＦＦ用レバーの下側を押して前記レバーを枢着部分を中心に上側が前記スイッチ側に向けて回動することによって、このレバーの上端部が前記スイッチを押してスイッチをＯＮ状態とし、前記トレイがクロース状態からオープン状態に至る間は前記レバーの上端部は前記スイッチを押さずにＯＦＦ状態とされ、前記トレイがオープンした時には前記突起部が前記レバーの上端部を介して前記スイッチを押してＯＮ状態とし、一つのスイッチで前記トレイのオープン・クローズ状態を検出するように構成したことを特徴とするディスク装置。
【請求項２】
前記レバーの先端に前記スイッチを押すための円形押し部が設けられている請求項１に記載のディスク装置。
【発明の詳細な説明】
【技術分野】
【０００１】
本発明は、ディスクがセットされるトレイのオープン・クローズ状態をスイッチで検出するようにしたディスク装置に関するものである。
【背景技術】
【０００２】
従来のこの種のディスク装置は、図５に示すように、トレイがクローズされたときにこのクローズ状態を検出するスイッチ１と、トレイがオープンされたときにこのオープン状態を検出するスイッチ２の二つのスイッチ１、２を使用していたために、部品点数が多くてコスト高になるという問題があった。
【０００３】
第１の従来技術を図６に示す。これは、図６に示すように、トレイは、モータ１１６によってオープン状態の位置からクローズ状態の位置に移動される。トレイの移動に応じてロータリスイッチ１２８が回転して、所定のタイミングで出力信号を発生する。ロータリスイッチ１２８からの出力信号はトレイの移動途中の所定タイミングにおいて発生する。トレイ移動の開始時点からロータリスイッチ１２８の出力信号の発生時点までの時間間隔が所定の範囲内にあるか否かによって、トレイの動作異常を検出する。トレイの移動途中において動作異常の検出が可能であり、異常検出に要する時間を短縮することができる。      
【０００４】
（例えば、特許文献１参照）。
【０００５】
ところが、これにおいてはロータリスイッチ１２８を用いていたために、コスト高になるという問題があった。
【０００６】
第２の従来技術を図７（ａ）（ｂ）に示す。これは、図７（ａ）（ｂ）に示すように、トレイ２０２の位置検出用としてトレイ検出スイッチ２５１が設けられ、光ピックアップ（図示略）の位置検出用としてピックアップ検出スイッチ２５２が設けられている。トレイ検出スイッチ２５１は、メインギヤ２２３の突部２３１によって切り替えられる。また、ピックアップ検出スイッチ２５２は、光ピックアップを上下に駆動する水平移動カム２４６によって切り替えられる。水平移動カム２４６はメインギヤ２２３によって、所定のタイミングで左右に移動する。トレイ２０２と光ピックアップの位置は、両スイッチ２５１、２５２の状態で判断される。すなわち、あるモードにおいてモータ２３３を所定方向に回転させると、最初にどちらかのスイッチ２５１、２５２が切り替わる。これで現在のモードを判断できる。（例えば、特許文献２参照）。
【０００７】
ところが、これにおいては、トレイ２０２と光ピックアップの状態を二つのスイッチ２５１、２５２を用いたいたので、コスト高になるという問題があった。
【特許文献１】特開２００３−７７２０４号公報
【特許文献２】特開平７−２６２６７０号公報
【発明の開示】
【発明が解決しようとする課題】
【０００８】
本発明は、上記従来の問題に鑑みてなされたものであって、トレイのオープン・クローズの状態を一つのスイッチで検出することができて、材料費を削減してコストダウンを図れ、不具合発生要因も減らすことができるディスク装置を提供することを目的としている。。
【課題を解決するための手段】
【０００９】
本発明は、上記課題を解決するために提案されたものであって、請求項１に記載の発明は、ディスクがセットされるトレイのオープン・クローズ状態をスイッチで検出するようにしたディスク装置において、装置本体に装着されたスイッチに近接してＯＮ・ＯＦＦ用レバーが枢着状態で回動可能に配設され、トレイのオープン・クローズ動作に伴って上下移動と左右移動をするトラバースの先端の下側にＬ字片が設けられ、前記トレイには、その側方の内向きに前記スイッチを押すための突起部が設けられており、前記トレイがクローズしている時には、前記トラバースが前記スイッチ側に移動されて前記Ｌ字片の先端が前記ＯＮ・ＯＦＦ用レバーの下側を押して前記レバーを枢着部分を中心に上側が前記スイッチ側に向けて回動することによって、このレバーの上端部が前記スイッチを押してスイッチをＯＮ状態とし、前記トレイがクロース状態からオープン状態に至る間は前記レバーの上端部は前記スイッチを押さずにＯＦＦ状態とされ、前記トレイがオープンした時には前記突起部が前記レバーの上端部を介して前記スイッチを押してＯＮ状態とし、一つのスイッチで前記トレイのオープン・クローズ状態を検出するように構成したことを特徴としている。
【００１０】
請求項２に記載の発明は、前記レバーの先端に前記スイッチを押すための円形押し部が設けられている。
【発明の効果】
【００１１】
請求項１に記載の発明によれば、トレイのオープン・クローズの状態を一つのスイッチで検出することができて、材料費を削減してコストダウンを図れ、不具合発生要因も減らすことができる。また、ＯＮ・ＯＦＦ用レバーを設けただけなので構造も極めて簡単化することができる。
【００１２】
請求項２に記載の発明によれば、スイッチをレバーに設けた円形押し部で押すので、スイッチが痛まず、スイッチの耐久性を良くすることができる。
【発明を実施するための最良の形態】
【００１３】
以下、本発明に係るディスク装置の実施の形態について、図を参照しつつ説明する。
【００１４】
図１は本発明のディスク装置の実施形態におけるトレイがクローズ状態のときのスイッチＯＮの状態を示す部分正面図、図２はトレイがクローズ状態からオープン状態に至るときのスイッチＯＦＦの状態を示す部分正面図、図３はトレイがオープン状態のときのスイッチＯＮの状態を示す部分正面図、図４はトレイがクローズからオープンするときまでのスイッチのＯＮ・ＯＦＦ状態を示すグラフである。
【００１５】
本実施形態のディスク装置は、図１、図２、図３に示すように、装置本体に装着されたスイッチ１に近傍してＯＮ．ＯＦＦ用レバー２が枢着状態で回動可能に配設されている。更に、トレイ３のオープン・クローズ動作に伴って上下移動と左右移動をするトラバース４の先端の下側にＬ字片４ａが設けられ、トレイ３には、その側方の内向きにスイッチ１を押すための突起部３ａが設けられている。また、レバー２の先端にスイッチ１を押すための円形押し部２ａが設けられている。
【００１６】
図１に示すように、トレイ３がクローズしている時には、トラバース４がスイッチ１側に移動されてＬ字片４ａの先端がＯＮ・ＯＦＦ用レバー２の下側を押してレバー２を枢着部分を中心に上側がスイッチ１側に向けて回動することによって、このレバー２の上端部の円形押し部２ａがスイッチ１を押してスイッチ１をＯＮ状態とする。
【００１７】
図２に示すように、トレイ３がクロース状態からオープン状態に至る間はレバー２の上端部の円形押し部２ａはスイッチ１を押さずにＯＦＦ状態とされる。更に、図３に示すように、トレイ３がオープンした時には突起部３ａがレバー２の上端部の円形押し部２ａを介してスイッチ１を押してＯＮ状態とする。このように、一つのスイッチ１でトレイ３のオープン・クローズ状態を検出するようにしている。
【００１８】
ここで、不定状態からスタートするのであれば、スイッチ１がＯＦＦであればＯＮになるまでトレイ３を引き込む。この状態で不定状態を脱出し、トレイ３がクローズ状態であることが確認される。また、スイッチ１がＯＮのときには。ある短い時間トレイ３を引き込む。その後のスイッチのＯＮ／ＯＦＦによって現時点のトレイ３の状態を判別するようになっている。また、図４のグラフに示すように、一つのスイッチ１のＯＮ／ＯＦＦ状態でトレイ３がクローズされた状態とトレイ３がオープンした状態とを検出することができる。
【００１９】
従って、本実施形態によれば、トレイ３のオープン・クローズの状態を一つのスイッチ１で検出することができて、材料費を削減してコストダウンを図れ、不具合発生要因も減らすことができる。また、ＯＮ・ＯＦＦ用レバー２を設けただけなので構造も極めて簡単化することができる。また、スイッチ１をレバー２に設けた円形押し部２ａで押すので、スイッチ１が痛まず、スイッチ１の耐久性を良くすることができる。
【図面の簡単な説明】
【００２０】
【図１】本発明のディスク装置の実施形態におけるトレイがクローズ状態のときのスイッチＯＮの状態を示す部分正面図である。
【図２】トレイがクローズ状態からオープン状態に至るときのスイッチＯＦＦの状態を示す部分正面図である。
【図３】トレイがオープン状態のときのスイッチＯＮの状態を示す部分正面図である。
【図４】トレイがクローズからオープンするときまでのスイッチのＯＮ・ＯＦＦ状態を示すグラフである。
【図５】従来のディスク装置における二つのスイッチによるトレイのクローズ・オープン状態を示すグラフである。
【図６】従来のディスク搬送装置の内部構造を示す平面図である。
【図７】従来のディスク装置を示し、（ａ）はその内部構造をしめす平面図、（ｂ）はそのトレイ及び光ピックアップの検出機構を示す部分平面図である。
【符号の説明】
【００２１】
１        スイッチ
２        ＯＮ．ＯＦＦ用レバー
２ａ      円形押し部
３        トレイ
３ａ      突起部
４        トラバース
４ａ      Ｌ字片
【図１】
2006018959.tif 000003
【図２】
2006018959.tif 000004
【図３】
2006018959.tif 000005
【図４】
2006018959.tif 000006
【図５】
2006018959.tif 000007
【図６】
2006018959.tif 000008
【図７】
2006018959.tif 000009